(57)【要約】【課題】プラス電極またはマイナス電極に電力を供給するための配線が簡単な構成とされたＥＬ発光モジュールを提供する。【解決手段】透明基板３２に配置された封止部３３、プラス電極３６ｐおよびマイナス電極３６ｍを備えたＥＬ素子３０と、これらの電極に接続した引出線とで構成されたＥＬ素子モジュール１は、プラス電極３６ｐおよびマイナス電極３６ｍが封止部３３を間に対向した一対の電極として形成され、同極性同士が短絡線６３により接続され、引出線６０および短絡線６３が封止部３３に沿って配置され外部に導出された構成とされている。これにより、プラス電極またはマイナス電極に電力を供給するための配線が簡単な構成とされる。【選択図】図１
2007287345.tif 000002
【特許請求の範囲】
【請求項１】
透明基板、該透明基板に対向して配置された封止部、該封止部の外周に導出され前記透明基板上に透明電極で配置されたプラス電極およびマイナス電極とにより構成されたＥＬ素子と、
一端が前記プラス電極に接続され他端が外部に導出されたプラス引出線と、
一端が前記マイナス電極に接続され他端が外部に導出されたマイナス引出線とを備えたＥＬ発光モジュールであって、
前記プラス電極は、前記封止部を間に互いに対向した一対の電極として形成され、
前記マイナス電極は、前記封止部を間に互いに対向した一対の電極として形成され、
一対の前記プラス電極同士および一対の前記マイナス電極同士は、それぞれが前記封止部に沿って配置された短絡線により接続され、
前記プラス引出線または前記マイナス引出線の少なくともいずれか一方は、前記封止部の外周に沿って配置され、
前記プラス引出線と前記マイナス引出線は、外部で一対にされたことを特徴とするＥＬ発光モジュール。
【請求項２】
一対とした前記プラス引出線と前記マイナス引出線の前記他端には、電源接続用コネクタが設けられたことを特徴とする請求項１に記載のＥＬ発光モジュール。
【請求項３】
前記プラス電極および前記マイナス電極の少なくとも一方には前記透明電極よりも低抵抗の板状の導電体が接合してあり、該導電体には前記プラス引出線または前記マイナス引出線の前記一端が接続してあることを特徴とする請求項１または請求項２に記載のＥＬ発光モジュール。
【請求項４】
前記透明基板に対向して前記ＥＬ素子を収容する表面ケースと、該表面ケースに係合して前記ＥＬ素子を被う裏面ケースとを備え、
前記表面ケースは、前記ＥＬ素子の発光領域に対応する窓部を有することを特徴とする請求項１乃至請求項３のいずれか一つに記載のＥＬ発光モジュール。
【請求項５】
前記表面ケースは遮光性を有することを特徴とする請求項４に記載のＥＬ発光モジュール。
【請求項６】
前記裏面ケースは前記封止部に対応する窓部を有することを特徴とする請求項４または請求項５に記載のＥＬ発光モジュール。
【発明の詳細な説明】
【技術分野】
【０００１】
本発明は、エレクトロルミネッセンス素子（以下、ＥＬ素子ともいう。）を用いたＥＬ発光モジュールに関する。
【背景技術】
【０００２】
近年、ＥＬ素子の開発が進み、高輝度、大面積を有する表示用、または光源用のＥＬ素子が提案されるようになっている。それに伴いＥＬ素子を適用して照明用とするＥＬ発光モジュールの検討がされつつある。ＥＬ発光モジュールは、照明器具などの光源となるＥＬ素子とＥＬ素子に接続された電力を供給するための引出線により主要部が構成されたものであり、種々の照明器具などに適用されるものである。
【０００３】
図４は、従来のＥＬ発光モジュールの断面図である。
【０００４】
ＥＬ発光モジュール１００は、ＥＬ素子１３０とＥＬ素子１３０に電力を供給するための引出線１６０により主要部が構成されている。
【０００５】
ＥＬ素子１３０は、電力を光に変換する発光層１３１ｅと、相互に対向して配置された透明基板１３２および封止部１３３を備える。封止部１３３は、封止基板１３３ｐと封着部１３３ｊで構成され、封着部１３３ｊを介して封止基板１３３ｐを透明基板１３２に接合してある。
【０００６】
透明基板１３２は発光層１３１ｅからの光を外部へ導出するために透明性が要求され、例えば、ガラス基板で構成してある。そして、透明基板１３２において発光層１３１ｅからの光を外部へ導出する部分は発光領域１３１として構成される。
【０００７】
封止基板１３３ｐは、例えばガラス基板で構成してある。また、封着部１３３ｊは、ガラス基板を相互に接着するために例えばエポキシ系の接着剤で構成してある。
【０００８】
透明基板１３２には、プラス電極１３４ｐ、発光層１３１ｅ、およびマイナス電極１３４ｍが順次積層され、プラス電極１３４ｐおよびマイナス電極１３４ｍの間に適宜の電圧を印加することにより、電力を供給して発光層１３１ｅを発光させる。
【０００９】
プラス電極１３４ｐは、光を透過させる必要があることから透明性が要求され、例えばＩＴＯ（酸化インジウム錫）で構成される。また、発光層１３１ｅに対して裏面側に積層されたマイナス電極１３４ｍは、透明性を要求されず適宜の反射性を要求されることから、例えばアルミニウムで構成される。なお、プラス電極１３４ｐおよびマイナス電極１３４ｍの端部は適宜、封止部１３３の外側（透明基板１３２の外周領域）に導出され、それぞれに対応した接続端子１３４ｐｔ，１３４ｍｔ（図４では、マイナス電極１３４ｍに対応する接続端子１３４ｍｔは接続端子１３４ｐｔに隠れている。）が形成される。
【００１０】
プラス電極１３４ｐおよびマイナス電極１３４ｍに適宜の電圧を印加するために、接続端子１３４ｍｔ、１３４ｐｔに引出線１６０が適宜の接続手段により接続される。
【００１１】
このような従来のＥＬ発光モジュール１００は、例えば特許文献１に提示されている。
【特許文献１】特開平１１−３５４２７２号公報
【発明の開示】
【発明が解決しようとする課題】
【００１２】
しかしながら、特許文献１に記載されている従来技術においては、プラス電極およびマイナス電極（以下、プラス電極およびマイナス電極を総称するときは電極という。）の一端から電力が供給されるため、電極の電位にばらつきが生じ、発光部に輝度斑が生じてしまうという問題があった。
【００１３】
これを解決する手段として、発光領域を間にプラス電極またはマイナス電極を延長させて、発光領域を間に対向して配置されたプラス電極（またはマイナス電極）の両端から電力を供給することが考えられる。これにより、電極の電位のばらつきが抑えられて、発光部の輝度斑が抑えられる。
【００１４】
このような構成とする場合、プラス電極（またはマイナス電極）の両端に当接する導体パターンが形成された補助部材を形成し、この補助部材の導体パターンを電極に接合することで電力を供給することが考えられる。
【００１５】
また、他の手段として、ＥＬ素子の透明基板にプラス電極（またはマイナス電極）の両端から導出させた導体パターンを形成して、導体パターンを介して電極に電力を供給することが考えられる。
【００１６】
しかしながら、補助部材を形成するには、導体パターンの形成など多数の工程を経なければならず、製造コストがかかるものであった。
【００１７】
本発明はこのような状況に鑑みてなされたものであり、プラス電極またはマイナス電極に電力を供給するための配線が簡単な構成とされたＥＬ発光モジュールを提供することを目的とする。
【課題を解決するための手段】
【００１８】
本発明に係るＥＬ発光モジュールは、透明基板、該透明基板に対向して配置された封止部、該封止部の外周に導出され前記透明基板上に透明電極で配置されたプラス電極およびマイナス電極とにより構成されたＥＬ素子と、一端が前記プラス電極に接続され他端が外部に導出されたプラス引出線と、一端が前記マイナス電極に接続され他端が外部に導出されたマイナス引出線とを備えたＥＬ発光モジュールであって、前記プラス電極は、前記封止部を間に互いに対向した一対の電極として形成され、前記マイナス電極は、前記封止部を間に互いに対向した一対の電極として形成され、一対の前記プラス電極同士および一対の前記マイナス電極同士は、それぞれが前記封止部に沿って配置された短絡線により接続され、前記プラス引出線または前記マイナス引出線の少なくともいずれか一方は、前記封止部の外周に沿って配置され、前記プラス引出線と前記マイナス引出線は、外部で一対にされたことを特徴とする。
【００１９】
この構成により、プラス引出線およびマイナス引出線（以下、プラス引出線およびマイナス引出線を総称して引出線ともいう。）のそれぞれをプラス電極およびマイナス電極に配線することから、簡単な配線構造でＥＬ素子に電力を供給することができる。
【００２０】
また、一対のプラス電極同士および一対のマイナス電極同士は、それぞれが短絡線により接続されていることから、ＥＬ素子のプラス電極およびマイナス電極の両端縁に電力が供給されるので、プラス電極およびマイナス電極の全体の電位ばらつきを抑えることができる。この結果、発光部の輝度斑を低減することができる。
【００２１】
また、プラス引出線とマイナス引出線を一箇所から一対の引出線を外部に導出させていることから、ＥＬ発光モジュールを用いて照明器具などを製作する際における引出線の配線が容易になる。
【００２２】
また、本発明に係るＥＬ発光モジュールでは、一対とした前記プラス引出線と前記マイナス引出線の前記他端には、電源接続用コネクタが設けられたことを特徴とする。この構成により、容易にＥＬ発光モジュールの交換ができる。
【００２３】
また、本発明に係るＥＬ発光モジュールでは、前記プラス電極および前記マイナス電極の少なくとも一方には前記透明電極よりも低抵抗の板状の導電体が接合してあり、該導電体には前記プラス引出線または前記マイナス引出線の前記一端が接続してあることを特徴とする。
【００２４】
この構成により、導電体を介してプラス電極およびマイナス電極に電力が供給されることから、プラス電極およびマイナス電極の電位が略同一になるので、発光部の輝度斑を低減することができる。
【００２５】
また、プラス電極またはマイナス電極と導電体は面で強固に接合され、引出線は半田等で導電体に接続されているので、ＥＬ素子に容易に電力を供給することができる。
【００２６】
また、本発明に係るＥＬ発光モジュールでは、前記透明基板に対向して前記ＥＬ素子を収容する表面ケースと、該表面ケースに係合して前記ＥＬ素子を被う裏面ケースとを備え、前記表面ケースは、前記ＥＬ素子の発光領域に対応する窓部を有することを特徴とする。
【００２７】
この構成により、表面ケースはＥＬ素子を安定的に支持するので、透過率を低下させることなく機械的強度を十分に確保することができる。また、表面ケースは透明基板の端縁および角部を保護するので、端縁および角部で破損を生じさせず、かつシャープエッジ（透明基板の端縁に形成される鋭い稜）から取扱者を保護する効果も有する。
【００２８】
また、本発明に係るＥＬ発光モジュールでは、前記表面ケースは遮光性を有することを特徴とする。
【００２９】
この構成により、発光領域の周囲（発光領域の外周領域）がマスキングされ、発光領域を顕在化させることができるので、発光領域を顕在化させることができる。また、非発光部（発光領域以外の部分）をマスキングできることから装飾性、デザイン性を向上させることができる。
【００３０】
また、本発明に係るＥＬ発光モジュールでは、前記裏面ケースは前記封止部に対応する窓部を有することを特徴とする。
【００３１】
この構成により、放熱性を低下させることなく機械的強度を確保し、かつ、配線部（引出線を配置した部分）をマスキングすることができ、また、窓部から突出する形状の放熱体を設けることにより放熱性をさらに向上させることも可能である。
【発明の効果】
【００３２】
本発明に係るＥＬ発光モジュールによれば、プラス引出線およびマイナス引出線のそれぞれをプラス電極およびマイナス電極に配線することから、簡単な配線構造でＥＬ素子に電力を供給することができる。
【００３３】
また、一対のプラス電極同士および一対のマイナス電極同士は、それぞれが短絡線により接続されていることから、ＥＬ素子のプラス電極およびマイナス電極の両端に電力が供給されるので、プラス電極およびマイナス電極の全体の電位ばらつきを抑えることができる。この結果、発光部の輝度斑を低減することができる。
【００３４】
また、プラス引出線とマイナス引出線を一箇所から一対の引出線を外部に導出させていることから、ＥＬ発光モジュールを用いて照明器具などを製作する際における引出線の配線が容易になる。
【００３５】
また、本発明に係るＥＬ発光モジュールによれば、一対としたプラス引出線とマイナス引出線の他端には、電源接続用コネクタが設けられているので、容易にＥＬ発光モジュールの交換ができる。
【００３６】
また、本発明に係るＥＬ発光モジュールによれば、プラス電極およびマイナス電極の少なくとも一方には、透明電極よりも低抵抗の板状の導電体が接合され、導電体にプラス引出線またはマイナス引出線が接続されていることから、導電体を介してプラス電極およびマイナス電極に電力が供給され、プラス電極およびマイナス電極の電位が略同一とすることができるので、発光部の輝度斑を低減することができる。
【００３７】
また、プラス電極またはマイナス電極と導電体は面で強固に接合され、引出線がはんだ等で導電体に接続されているので、ＥＬ素子に容易に電力供給することができる。
【００３８】
また、本発明に係るＥＬ発光モジュールによれば、ＥＬ素子を収容する表面ケースと裏面ケースを備え、表面ケースは発光領域に対応する窓部を有することから、透過率を低下させることなく機械的強度を十分に確保することができる。また、表面ケースは透明基板の端縁および角部を保護するので、端縁および角部で破損を生じさせず、かつシャープエッジから取扱者を保護する効果も有する。
【００３９】
また、本発明に係るＥＬ発光モジュールによれば、発光領域の周囲がマスキングされ、発光領域を顕在化させることができ、装飾性やデザイン性を向上させることができる。
【００４０】
また、本発明に係るＥＬ発光モジュールによれば、裏面ケースは封止部に対応する窓部を有することから、放熱性を低下させることなく機械的強度を確保し、かつ、配線部をマスキングすることができ、また、窓部から突出する形状の放熱体を設けることにより放熱性をさらに向上させることも可能である。
【発明を実施するための最良の形態】
【００４１】
以下、本発明の実施の形態を図面に基づいて説明する。
【００４２】
＜実施の形態１＞
図１は、本発明の実施の形態１に係るＥＬ発光モジュールの斜視図である。
【００４３】
ＥＬ発光モジュール１は、ＥＬ素子３０とＥＬ素子３０に電力を供給するための引出線６０により主要部が構成されている。ＥＬ素子３０は電力を光に変換するものである。引出線６０は、一端がＥＬ素子３０に接続され、他端が電力を供給する電源や電源接続用コネクタなどに接続されるものである。
【００４４】
ＥＬ素子３０は、電力を光に変換する発光層（不図示）と、相互に対向して配置された透明基板３２および封止部３３を備える。封止部３３は、封止基板３３ｐと封着部３３ｊで構成され、封着部３３ｊを介して封止基板３３ｐを透明基板３２に接合してある。なお、ＥＬ素子３０の構成は、従来技術に示したＥＬ素子１３０と同様である。
【００４５】
透明基板３２と封止基板３３ｐの間には発光層が形成してある。また、発光層を挟んでプラス側に正孔輸送層（不図示）、マイナス側に電子輸送層（不図示）が形成してある。発光層を有機分子で構成したものが有機ＥＬ素子である。さらに、プラス側の正孔輸送層の外側にプラス電極３６ｐが形成され、マイナス側の電子輸送層の外側にマイナス電極３６ｍが形成されている。
【００４６】
ＥＬ素子３０を有機ＥＬ素子とすることにより、低電圧で点灯が可能となり、発光効率の良いＥＬ発光モジュール１とすることができる。なお、ＥＬ素子３０の発光層および発光層に積層される正孔輸送層、電子輸送層などの構造については種々のものが提案されており、上述した構造に限るものではない。
【００４７】
透明基板３２は、例えば、ガラス基板で構成してある。透明基板３２において発光層からの光を外部へ放出する部分は、発光領域３１として構成される。
【００４８】
封止基板３３ｐは、例えばガラス基板で構成してある。また、封着部３３ｊは、ガラス基板を相互に接着するために例えばエポキシ系の接着剤で構成してある。
【００４９】
封止基板３３ｐは透明基板３２に対向する面に配置されるものであり、透明基板３２と封着部３３ｊで接合することにより発光層を密封封止するものである。また、封止基板３３ｐの裏面には、適宜放熱手段を設けることもできる。
【００５０】
プラス電極３６ｐは、透明基板３２の発光領域３１を含む領域に形成してある。プラス電極３６ｐには正孔輸送層が積層され、正孔輸送層には発光層が積層され、さらに電子輸送層が積層される。透明基板３２に積層されたプラス電極３６ｐは、光を放出する必要があることから透明性が要求され、例えばＩＴＯ（酸化インジウム錫）で構成される。また、発光層に対して裏面側に積層されたマイナス電極３６ｍは、透明性を要求されず適宜の反射性を要求されることから、例えばアルミニウムで構成される。
【００５１】
プラス電極３６ｐは、封止部３３の外周の両側へ延長され、発光領域３１を間に対向されて配置してある。発光領域３１を間にして配置されたプラス電極３６ｐ同士は、短絡線６３ｐで接続される。
【００５２】
マイナス電極３６ｍは、プラス電極３６ｐが延長した方向と交叉する方向で封止部３３の外周へ延長させ、発光領域３１を間に対向されて配置してある。発光領域３１を間にして配置されたマイナス電極３６ｍ同士は、短絡線６３ｍで接続される。
【００５３】
短絡線６３ｐ、６３ｍは、封止部３３の外周に沿って配置される。短絡線６３ｐ、６３ｍは、芯が導体（例えば、銅やアルミニウム）であり芯の周囲が絶縁性皮膜に覆われたものである。例えば、ワイヤハーネスが短絡線６３ｐ、６３ｍとして用いられる。短絡線６３ｐ、６３ｍの芯の周囲が絶縁性皮膜に覆われているので、異なる極性の電極を跨いでショートさせずに同極性の電極同士（マイナス電極３６ｍ同士またはプラス電極３６ｐ同士）を短絡線６３ｐ、６３ｍで短絡することができる。
【００５４】
プラス電極３６ｐ、３６ｐおよびマイナス電極３６ｍ、３６ｍは、それぞれが短絡線６３ｐ、６３ｍにより接続してあることから、ＥＬ素子３０のプラス電極３６ｐまたはマイナス電極３６ｍに電力が供給されたとき各電極面の電位差を抑えることができる。これにより、発光部の輝度斑を低減することができる。
【００５５】
引出線６０は、芯が導体（例えば、銅やアルミニウム）であり芯の周囲が絶縁性皮膜に覆われたものである。例えば、ワイヤハーネスが引出線６０として用いられる。
【００５６】
引出線６０は、プラス電極３６ｐとマイナス電極３６ｍにそれぞれ接続される。プラス電極３６ｐに接続された引出線６０はプラス引出線６０ｐとする。マイナス電極３６ｍに接続された引出線６０はマイナス引出線６０ｍとする。
【００５７】
プラス引出線６０ｐは、一端がプラス電極３６ｐに接続され、封止部３３の側壁３３ｗに沿って配線され他端が透明基板３２の外部に導出される。また、マイナス引出線６０ｍは、一端がマイナス電極３６ｍに接続され、封止部３３の側壁３３ｗに沿って配線され他端が透明基板３２の外部に導出される。また、それぞれのプラス引出線６０ｐやマイナス引出線６０ｍは、絶縁性接着剤で側壁３３ｗに接着されて固定される。これにより、引出線６０が強固に固定されるので、引出線６０と電極３６の接続の切断がなくなる。
【００５８】
なお、ＥＬ発光モジュール１は、プラス引出線６０ｐおよびマイナス引出線６０ｍの両方を封止部３３の側壁３３ｗに沿って配線した構成とするものに限らず、プラス引出線６０ｐおよびマイナス引出線６０ｍのいずれか一方を封止部３３の側壁３３ｗに沿って配線した構成としてもよい。
【００５９】
ＥＬ素子３０に電力を供給するための手段として、引出線６０を配線して電極に接続した構成としたことから、簡単な配線構造となっている。
【００６０】
プラス引出線６０ｐとマイナス引出線６０ｍは、透明基板３２の外部で一対とされてコードに形成される。コードの先端（引出線６０の他端に対応する部分）には、電源接続用コネクタ６１が設けられる。透明基板３２の一箇所から一対の引出線６０を外部に導出させているので、ＥＬ発光モジュール１を用いて照明器具などを製作する際、引出線６０の配線が容易となる。また、引出線６０の先端（他端）には電源接続用コネクタ６１が設けられているので、容易にＥＬ発光モジュールの交換ができる。
【００６１】
＜実施の形態２＞
図２は、本発明の実施の形態２に係るＥＬ発光モジュールの斜視図である。
【００６２】
本実施の形態に係るＥＬ発光モジュール１は、ＥＬ素子３０とＥＬ素子３０に電力を供給するための引出線６０により主要部が構成され、プラス電極３６ｐとマイナス電極３６ｍが板状の導電体７０により補強されている。ＥＬ素子３０および引出線６０などの構成は、実施の形態１と略同様であるので説明を省略する。
【００６３】
プラス電極３６ｐには、全体または一部を覆うように板状の導電体７０が導電性接着剤により接合されて形成されている。また、マイナス電極３６ｍには、全体または一部を覆うように板状の導電体７０が導電性接着剤により接合されて形成されている。導電体７０としては、例えば、銅板などが用いられる。
【００６４】
導電体７０は、導電性接着剤により全体または一部を覆うようにしてプラス電極３６ｐまたはマイナス電極３６ｍに接続されている。また、導電体７０の表面にはプラス引出線６０ｐ（またはマイナス引出線６０ｍ）や短絡線６３ｐ（または、短絡線６３ｍ）が接続されている。
【００６５】
プラス電極３６ｐ同士は、導電体７０を介して短絡線６３ｐにより接続されている。同様に、マイナス電極３６ｍ同士は、導電体７０を介して短絡線６３ｍにより接続されている。
【００６６】
プラス引出線６０ｐの一端はプラス電極３６ｐに接合された導電体７０に接続され、プラス引出線６０ｐの他端は透明基板３２の外部に導出されている。また、マイナス引出６０ｍの一端はマイナス電極３６ｍに接合された導電体７０に接続され、マイナス引出６０ｍの他端は透明基板３２の外部に導出されている。
【００６７】
導電体７０が電極３６に面接合され、引出線６０が導電体７０にはんだ等で強固に接合されていることから、確実にＥＬ素子へ電力供給できる。
【００６８】
また、プラス電極３６ｐまたはマイナス電極３６ｍを覆った導電体７０を介してＥＬ素子３０に電力が供給されることから、プラス電極３６ｐまたはマイナス電極３６ｍの電位が均等化し、これにより、発光部の輝度斑が低減する。特に、プラス電極３６ｐまたはマイナス電極３６ｍの全体を導電体７０で覆ったときには、プラス電極３６ｐまたはマイナス電極３６ｍの電位を略同一とすることができるので、さらに、発光部の輝度斑を低減することができる。
【００６９】
＜実施の形態３＞
図３は、本発明の実施の形態３に係るＥＬ発光モジュールの分解斜視図である。
【００７０】
本実施の形態に係るＥＬ発光モジュール１は、ＥＬ素子３０、ＥＬ素子３０に接続された引出線６０、透明基板３２に対向して配置された表面ケース２０、表面ケース２０に係合する裏面ケース５０により主要部が構成されている。すなわち、本実施の形態に係るＥＬ発光モジュール１は、実施の形態１または実施の形態２に係るＥＬ発光モジュール１のＥＬ素子３０を保護し、また、外観をよくするために表面ケース２０および裏面ケース５０が設けられたものである。ＥＬ素子３０や引出線６０や透明基板３２は、実施の形態１または実施の形態２と同様であるので説明を省略する。
【００７１】
表面ケース２０は、ＥＬ素子３０（透明基板３２）を載置して支持する四辺形で平面状の支持部２１、支持部２１の外周端に立設されてＥＬ素子３０（透明基板３２）を内包し、位置決めして収容する枠部２２を備える。
【００７２】
この構成により、ＥＬ素子３０を表面ケース２０の内側に確実に位置合わせして載置することができる。表面ケース２０は、ＥＬ素子３０を安定的に支持して外部環境から確実に分離するので、ＥＬ素子３０を周囲の外部環境から保護することが可能となる。したがって、ＥＬ素子３０の機械的強度を容易に確保することが可能となり、信頼性および実用性を向上させることができる。また、表面ケース２０は透明基板３２の端縁および角部を保護するので、端縁および角部で破損を生じさせず、かつシャープエッジ（透明基板の端縁に形成される鋭い稜）から取扱者を保護する効果も有する。
【００７３】
支持部２１の中央にはＥＬ素子３０からの光をＥＬ発光モジュール１の外部に直接放出するためにＥＬ素子３０の発光領域３１に対応して開口された窓部２３が形成してある。つまり、支持部２１は、ＥＬ素子３０の外周部分に対応させて額縁状としてある。したがって、ＥＬ素子３０により放射される光は窓部２３からＥＬ発光モジュール１の外部へ直接放出されることから、窓部２３を設けない場合（例えば、表面ケース２０を全体的に透明なケースとした場合など）に比較してＥＬ発光モジュール１としての透過率を向上させることが可能となる。また、支持部２１はＥＬ素子３０の周囲を確実に支持していることから、透過率を低下させることなく機械的強度を確保することができる。
【００７４】
また、表面ケース２０は、例えば合成樹脂で成形してあり、窓部２３を有することから遮光性樹脂で形成することが可能となる。表面ケース２０を遮光性の合成樹脂（例えばプラスチック）で成形することによりＥＬ素子３０の発光領域３１を際立たせて発光領域３１を顕在化させ、また、発光領域３１の周囲の非発光部（発光領域３１の外周領域）を見えないように遮光（マスキング）することが可能となることから、発光領域３１を顕在化させることができ、ＥＬ発光モジュール１を照明用光源として用いる場合に装飾性、デザイン性を向上させることができる。なお、表面ケース２０を透光性とした場合には、窓部２３を設けずに平板状とすることが可能である。
【００７５】
また、表面ケース２０の一辺に対応する枠部２２の適宜の位置には引出線６０を配置、導出するための端子導出部２４が切り欠き状に形成してある。
【００７６】
ＥＬ素子３０は製造の容易性などから一般的に四辺形とされることから、表面ケース２０も同様に四辺形としてあるが、表面ケース２０は、ＥＬ素子３０の形状に応じて適宜変形することが可能である。
【００７７】
裏面ケース５０は、ＥＬ素子３０の外周部を被覆する被覆部５１、被覆部５１の外周端に立設されてＥＬ素子３０を内包する枠部５２を備える。つまり、裏面ケース５０（枠部５２）は、表面ケース２０（枠部２２）に係合され、ＥＬ素子３０を被るように構成してあることから、表面ケース２０と係合してＥＬ素子３０を外部環境から確実に分離して保護することが可能となり、ＥＬ発光モジュール１の機械的強度をさらに向上させて、信頼性および実用性を向上させることができる。また、配線部（引出線を配置した部分）をマスキングすることができるので、デザイン性が向上する。
【００７８】
したがって、ＥＬ素子３０は、表面ケース２０と裏面ケース５０で構成される箱に収納された構造とすることとなるので、いわゆるカセット式構造となり、取り扱いが極めて容易となり、照明光源としての実用性を大きく向上させることが可能となる。
【００７９】
被覆部５１の中央にはＥＬ素子３０からの熱をＥＬ素子３０の外部に放出するためにＥＬ素子３０に対応させて開口された窓部５３が形成してある。つまり、被覆部５１は、ＥＬ素子３０の外周部分に対応させて額縁状としてあることから、ＥＬ素子３０で発生した熱はＥＬ素子３０の外部へ直接放出される。したがって、窓部５３を設けない場合に比較して、ＥＬ素子３０としての放熱性を低下させることなく機械的強度を確保できる。また、透明基板の端縁および角部を保護することができるので、透明基板の端縁および角部で破損が生じることもない。また、窓部５３から突出する形状の放熱体を封止部３３に設けることにより、さらに放熱効率を向上させることが可能となる。
【図面の簡単な説明】
【００８０】
【図１】本発明の実施の形態１に係るＥＬ発光モジュールの斜視図である。
【図２】本発明の実施の形態２に係るＥＬ発光モジュールの斜視図である。
【図３】本発明の実施の形態３に係るＥＬ発光モジュールの分解斜視図である。
【図４】従来のＥＬ発光モジュールの断面図である。
【符号の説明】
【００８１】
１            ＥＬ発光モジュール
２０          表面ケース
２１          支持部
２２          枠部
２３          窓部
２４          端子導出部
３０          ＥＬ素子
３１          発光領域
３２          透明基板
３３          封止部
３３ｊ        封着部
３３ｐ        封止基板
３６          電極（プラス電極およびマイナス電極）
３６ｍ        マイナス電極
３６ｐ        プラス電極
５０          裏面ケース
５１          被覆部
５２          枠部
５３          窓部
６０          引出線（プラス引出線およびマイナス引出線）
６０ｍ        マイナス引出線
６０ｐ        プラス引出線
６３、６３ｍ、６３ｐ    短絡線
７０          導電体
【図１】
2007287345.tif 000003
【図２】
2007287345.tif 000004
【図３】
2007287345.tif 000005
【図４】
2007287345.tif 000006